(57)【要約】【課題】無柱の大空間を構築できるとともに、工期短縮が可能な建築物を提供する。【解決手段】建築物１００は、上弦材と、下弦材と、上弦材と下弦材との間に張設された斜材と、下弦材に設けられたＰＣ鋼材と、を有し、水平方向に沿うＸ方向に延在する第一トラス梁２Ｘと、第一トラス梁２ＸのＸ方向の両端部側に設けられた柱４１と、を備え、第一トラス梁２Ｘは、Ｘ方向と直交し水平方向に沿うＹ方向に離間して二列配置されていることを特徴とする。【選択図】図２
2020147922.tif 000002
【特許請求の範囲】
【請求項１】
上弦材と、下弦材と、前記上弦材と前記下弦材との間に張設された斜材と、前記下弦材に設けられたＰＣ鋼材と、を有し、水平方向に沿う第一方向に延在する第一トラス梁と、
該第一トラス梁の前記第一方向の両端部側に設けられた柱と、を備え、
前記第一トラス梁は、前記第一方向と直交し水平方向に沿う第二方向に離間して二列配置されていることを特徴とする建築物。
【請求項２】
上弦材と、下弦材と、前記上弦材と前記下弦材との間に張設された斜材と、前記下弦材に設けられたＰＣ鋼材と、を有し、前記第二方向に延在する第二トラス梁を、備え、
該第二トラス梁は、前記第一トラス梁の前記第一方向の端部に配置され、
前記柱は、前記第二トラス梁の前記第二方向の両端部を支持していることを特徴とする請求項１に記載の建築物。
【請求項３】
前記第一トラス梁と前記第二トラス梁との交差部分では、
前記第二トラス梁の前記ＰＣ鋼材は、前記第二方向に延在し、
前記第一トラス梁の前記ＰＣ鋼材の端部は、前記第二トラス梁の前記ＰＣ鋼材と間隔を有して配置され、
前記第一トラス梁の前記下弦材の端部の外側には、前記第一トラス梁の前記ＰＣ鋼材に張力を付与するジャッキを設置するための空間が形成されている請求項２に記載の建築物。
【請求項４】
前記第一トラス梁及び前記第二トラス梁の少なくとも一方のトラス梁と前記柱との交差部分では、
前記トラス梁の前記ＰＣ鋼材の端部は、前記柱と間隔を有して配置され、
前記トラス梁の前記下弦材の端部の外側には、前記トラス梁の前記ＰＣ鋼材に張力を付与するジャッキを設置するための空間が形成されている請求項２または３に記載の建築物。
【請求項５】
前記第一トラス梁に沿って垂れ壁が設けられ、
該垂れ壁には窓が設けられていることを特徴とする請求項１から４のいずれか一項に記載の建築物。
【発明の詳細な説明】
【技術分野】
【０００１】
本発明は、建築物に関するものである。
【背景技術】
【０００２】
従来から、屋根の構造として、トラス構造が知られている。例えば、所定の方向（梁間方向）に延びるトラス梁が、所定の方向と直交する方向（桁行方向）に多数配置されたものが提案されている（下記の特許文献１参照）。このようなトラス構造の屋根では、トラス梁の下弦材に設けられたＰＣ鋼材（ケーブル）を緊張させることで、ＰＣ鋼材の元に戻ろうとする圧縮力により、トラス梁を持ち上げて、トラス梁の鉛直方向の変形を低減するようになっている。
【先行技術文献】
【特許文献】
【０００３】
【特許文献１】特公平７−４７８６６号公報
【発明の概要】
【発明が解決しようとする課題】
【０００４】
しかしながら、上記のトラス構造の屋根では、トラス梁が多数設置されるため、トラス梁を支持する柱を多数設ける必要があり、間取りのレイアウトが制限されてしまうという問題点がある。また、トラス梁の建設中には、トラス梁を支持する仮設柱を桁行方向の全スパンにわたって設ける必要があり、仮設柱の盛替等作業に時間を要するという問題点がある。
【０００５】
そこで、本発明は、上記事情に鑑みてなされたものであり、無柱の大空間を構築できるとともに、工期短縮が可能な建築物を提供する。
【課題を解決するための手段】
【０００６】
上記目的を達成するために、本発明は以下の手段を採用している。
すなわち、本発明に係る建築物は、上弦材と、下弦材と、前記上弦材と前記下弦材との間に張設された斜材と、前記下弦材に設けられたＰＣ鋼材と、を有し、水平方向に沿う第一方向に延在する第一トラス梁と、該第一トラス梁の前記第一方向の両端部側に設けられた柱と、を備え、前記第一トラス梁は、前記第一方向と直交し水平方向に沿う第二方向に離間して二列配置されていることを特徴とする。
【０００７】
このように構成された建築物では、上弦材、下弦材、斜材及びＰＣ鋼材により組み立てられた第一トラス梁は、二列配置されている。柱を第一トラス梁の第一方向の両端部側に設ければよく、多くの柱を必要としないため、無柱の大空間を構築することができる。
また、建設中に第一トラス梁を支持する仮設柱を第一トラス梁の二列分設置すればよいため、仮設柱の組み立て、解体にかかる時間が短縮され、工期を短縮することができる。
【０００８】
また、本発明に係る建築物は、上弦材と、下弦材と、前記上弦材と前記下弦材との間に張設された斜材と、前記下弦材に設けられたＰＣ鋼材と、を有し、前記第二方向に延在する第二トラス梁を、備え、該第二トラス梁は、前記第一トラス梁の前記第一方向の端部に配置され、前記柱は、前記第二トラス梁の前記第二方向の両端部を支持していることが好ましい。
【０００９】
このように構成された建築物では、トラス梁（第一トラス梁及び第二トラス梁）を第一方向及び第二方向の二方向に設置することで、二方向にわたってトラス梁のたわみを低減できるため、各トラス梁の梁せいを小さく抑えることができる。また、第一トラス梁の第一方向の両端部には柱が設けられていないため、将来等に建築物の第一方向に増築（拡張）することができる。
【００１０】
また、本発明に係る建築物は、前記第一トラス梁と前記第二トラス梁との交差部分では、前記第二トラス梁の前記ＰＣ鋼材は、前記第二方向に延在し、前記第一トラス梁の前記ＰＣ鋼材の端部は、前記第二トラス梁の前記ＰＣ鋼材と間隔を有して配置され、前記第一トラス梁の前記下弦材の端部の外側には、前記第一トラス梁の前記ＰＣ鋼材に張力を付与するジャッキを設置するための空間が形成されていてもよい。
【００１１】
このように構成された建築物では、第一トラス梁と第二トラス梁との交差部分では、第一トラス梁のＰＣ鋼材の端部は、第二トラス梁のＰＣ鋼材と間隔を有して配置されているため、第一トラス梁のＰＣ鋼材と第二トラス梁のＰＣ鋼材とが干渉することがない。また、第一トラス梁の下弦材の端部の外側の空間にジャッキを設置して、第一トラス梁のＰＣ鋼材に張力を付与することができる。
【００１２】
また、本発明に係る建築物は、前記第一トラス梁及び前記第二トラス梁の少なくとも一方のトラス梁と前記柱との交差部分では、前記トラス梁の前記ＰＣ鋼材の端部は、前記柱と間隔を有して配置され、前記トラス梁の前記下弦材の端部の外側には、前記トラス梁の前記ＰＣ鋼材に張力を付与するジャッキを設置するための空間が形成されていてもよい。
【００１３】
このように構成された建築物では、第一トラス梁及び第二トラス梁の少なくとも一方のトラス梁と柱との交差部分では、トラス梁のＰＣ鋼材の端部は柱と間隔を有して配置されているため、トラス梁のＰＣ鋼材が柱に干渉することがない。また、トラス梁の下弦材の端部の外側の空間にジャッキを設置して、トラス梁のＰＣ鋼材に張力を付与することができる。
【００１４】
また、本発明に係る建築物は、前記第一トラス梁に沿って垂れ壁が設けられ、該垂れ壁には窓が設けられていてもよい。
【００１５】
このように構成された建築物では、第一トラス梁に沿って垂れ壁が設けられ、垂れ壁には窓が設けられているため、窓から採光を確保したり、換気したりすることができる。
【発明の効果】
【００１６】
本発明に係る建築物によれば、無柱の大空間を構築できるとともに、工期を短縮することができる。
【図面の簡単な説明】
【００１７】
【図１】本発明の一実施形態に係る建築物を示す図であり、断面図である。
【図２】本発明の一実施形態に係る建築物を説明する図である。
【図３】図２の分解斜視図である。
【図４】本発明の一実施形態に係る建築物のトラス梁どうしの交差部分を示す図であり、（ａ）縦断面図、（ｂ）平断面図である。
【図５】本発明の一実施形態に係る建築物のトラス梁と柱との交差部分を示す図であり、（ａ）縦断面図、（ｂ）平断面図である。
【図６】本発明の一実施形態の変形例に係る建築物を説明する図である。
【発明を実施するための形態】
【００１８】
本発明の一実施形態に係る建築物について、図面を用いて説明する。
図１は、本発明の一実施形態に係る建築物を示す図であり、断面図である。
図１に示すように、本実施形態に係る建築物１００は、構造体１０と、構造体１０を覆う屋根材１１と、を少なくとも備えている。建築物１００は、不図示の壁材や床材等も備えている。
【００１９】
図２は、建築物１００を説明する図である。なお、図２において、屋根材１１の図示を省略している。
図２に示すように、建築物１００は、平面視略長方形状をなしている。ここで、建築物１００の長手方向をＸ方向とし、短手方向をＹ方向とする。
【００２０】
図３は、図２の分解斜視図である。なお、図３において、屋根材１１の図示を省略している。
図３に示すように、構造体１０は、Ｙトラス梁（第二トラス梁）２Ｙと、Ｘトラス梁（第一トラス梁）２Ｘと、鉄骨組材３と、を備えている。
【００２１】
Ｙトラス梁２Ｙは、Ｙ方向（第二方向）に延在している。Ｙトラス梁２Ｙは、Ｘ方向に離間して４箇所に配置されている。４箇所のＹトラス梁２Ｙを、それぞれＹトラス梁２Ｙ１，２Ｙ２，２Ｙ３，２Ｙ４とする。Ｙトラス梁２Ｙ１，２Ｙ４は、建築物１００のＸ方向の両端部側にそれぞれ配置されている。Ｙトラス梁２Ｙ２，２Ｙ３は、建築物１００のＸ方向の中央２箇所に配置されている。Ｙトラス梁２Ｙ２，２Ｙ３どうしは、連結材１３等により連結されている。
【００２２】
Ｘトラス梁２Ｘは、Ｘ方向（第一方向）に延在している。Ｘトラス梁２Ｘは、Ｙ方向の中央側に、Ｙ方向に離間して二列に配置されている。
【００２３】
各列で、Ｘトラス梁２Ｘは、Ｘ方向に間隔を有して配置されている。Ｘ方向に並ぶＸトラス梁２Ｘの間に、Ｙトラス梁２Ｙ２，２Ｙ３が配置されている。換言すると、Ｙトラス梁２Ｙは、Ｘトラス梁２ＸのＸ方向の両端部に配置されている。Ｘトラス梁２Ｘどうしは、連結材１４等により連結されている。
【００２４】
以下、Ｘトラス梁２Ｘ及びＹトラス梁２Ｙを、総称してトラス梁２と称することがある。
図４は、トラス梁２どうしの交差部分を示す図であり、（ａ）縦断面図、（ｂ）平断面図である。なお、Ｘトラス梁２Ｘの構成とＹトラス梁２Ｙの構成とは同様であるため、図４を用いて、トラス梁２の構成について説明する。
トラス梁２は、上弦材２１と、下弦材２２と、上弦材２１と下弦材２２との間に張設された斜材２３ａ及び束材２３ｂと、下弦材２２に設けられたＰＣ鋼材２４と、を有している。本実施形態では、上弦材２１、下弦材２２及び斜材２３は、Ｈ型鋼で構成されている。
【００２５】
ＰＣ鋼材２４を緊張させることで、ＰＣ鋼材２４の元に戻ろうとする圧縮力（プレストレス）により、トラス梁２を持ち上げて、トラス梁２の鉛直方向の変形を低減することができる。
【００２６】
図３に示すように、Ｙトラス梁２ＹのＹ方向の両端部には、柱４１が設けられている。柱４１は、Ｘトラス梁２ＸのＸ方向の両端部には設けられておらず、Ｙトラス梁２ＹのＹ方向の両端部を支持している。このようにして、柱４１は、Ｘトラス梁２ＸのＸ方向の両端部２ａ側（Ｘトラス梁２ＸのＸ方向の両端部２ａからＹ方向に離間した位置）に設けられている。本実施形態では、Ｙトラス梁２ＹのＹ方向の両端部を支持する柱４１はＣＦＴ造とされている。
【００２７】
Ｙトラス梁２ＹよりもＹ方向の端部側には、ＰＣ鋼材が設けられていない一般トラス４梁４が設けられている。Ｙトラス梁２Ｙと一般トラス梁４とは、連結材１５により連結されている。一般トラス梁４のＹ方向の両端部には、柱４２が設けられている。
【００２８】
鉄骨組材３は、鉄骨等の鋼材がＸ方向及びＹ方向に連結され枠組部５１と、枠組部５１を支持する柱５２と、を有している。図２に示すように、鉄骨組材３は、Ｘトラス梁２Ｘ及びＹトラス梁２Ｙに支持されている。トラス梁２と鉄骨組材３との間には、上下方向の段差が形成されている。
【００２９】
次に、Ｙトラス梁２ＹとＸトラス梁２Ｘとの交差部分の構成について説明する。
図４に示すように、Ｙトラス梁２ＹとＸトラス梁２Ｘとの交差部分では、Ｙトラス梁２ＹのＰＣ鋼材２４（以下、ＰＣ鋼材２４Ｙとする）は、分断されることなく、Ｙ方向に延びている。一方、Ｘトラス梁２ＸのＰＣ鋼材２４（以下、ＰＣ鋼材２４Ｘとする）はＹトラス梁２Ｙにまで到達せず、ＰＣ鋼材２４Ｘの端部２４ａはＰＣ鋼材２４ＹとＸ方向に間隔を有して配置されている。
【００３０】
Ｘトラス梁２Ｘの下弦材２２の端部２２ａには、下弦材２２の延在方向（Ｘ方向に延びる）に延びるトラス接合部２７が設けられている。トラス接合部２７には、上下方向に貫通する空間Ｓ１が形成されている。空間Ｓ１には、ＰＣ鋼材２４に張力を付与するジャッキ（不図示）を設置可能とされている。
【００３１】
次に、トラス梁２と柱４１との交差部分の構成について説明する。
図５は、Ｙトラス梁２Ｙと柱４１との交差部分を示す図であり、（ａ）縦断面図、（ｂ）平断面図である。なお、Ｙトラス梁２Ｙと柱４１との交差部分の構成とＸトラス梁２Ｘと柱４１との交差部分の構成とは同様であるため、図５を用いて、（Ｘトラス梁２Ｘ及びＹトラス梁２Ｙを含めた）トラス梁２と柱４１との交差部分の構成について説明する。
図５に示すように、トラス梁２と柱４１との交差部分では、トラス梁２のＰＣ鋼材２４は柱４１にまで到達せず、ＰＣ鋼材２４の端部２４ｂは柱４１とトラス梁２の延在方向に間隔を有して配置されている。
【００３２】
トラス梁２の下弦材２２の端部２２ａには、下弦材２２の延在方向に延びる柱接合部２８が設けられている。柱接合部２８には、上下方向に貫通する空間Ｓ２が形成されている。空間Ｓ２には、ＰＣ鋼材２４に張力を付与するジャッキ（不図示）を設置可能とされている。
【００３３】
次に、Ｘトラス梁２Ｘと鉄骨組材３との間の段差部分の構成について説明する。
図１に示すように、天井ＣとＸトラス梁２Ｘとは、斜材６１ａで連結されている。斜材６１ａは、上方に向かうにしたがって次第に対の列をなすＸトラス梁２Ｘに近接するように傾斜配置されている。斜材６１ａにより、Ｘトラス梁２Ｘは、対の列をなすＸトラス梁２Ｘから離間する方向に倒れることが抑制されている。
【００３４】
各Ｘトラス梁２Ｘは、鉄骨組材３の枠組部５１に斜材６１ｂで支持されている。斜材６１ｂは、上方に向かうにしたがって次第に対の列をなすＸトラス梁２Ｘから離間するように傾斜配置されている。斜材６１ｂにより、Ｘトラス梁２Ｘは、対の列をなすＸトラス梁２Ｘに近接する方向に倒れることが抑制されている。
【００３５】
Ｘトラス梁２Ｘにおける対の列をなすＸトラス梁２Ｘから離間する側には、垂れ壁６２が設けられている。垂れ壁６２には、窓６３が設けられている。
【００３６】
このように構成された建築物１００では、上弦材２１、下弦材２２、斜材２３及びＰＣ鋼材２４により組み立てられたＸトラス梁２Ｘは、二列配置されている。柱４１を、Ｘトラス梁２ＸのＸ方向の両端部側、つまりＸトラス梁２ＸのＸ方向の両端部に配置されたＹトラス梁２ＹのＹ方向の両端部に設ければよい。よって、例えばＸトラス梁２ＸのＸ方向の両端部を直接支持する柱等が不要となり多くの柱を必要としないため、無柱の大空間を構築することができる。
【００３７】
また、建設中にＸトラス梁２Ｘを支持する仮設柱をＸトラス梁２Ｘの二列分設置すればよいため、仮設柱の組み立て、解体にかかる時間が短縮され、工期を短縮することができる。
【００３８】
また、トラス梁２（Ｘトラス梁２Ｘ及びＹトラス梁２Ｙ）をＸ方向及びＹ方向の二方向に設置することで、二方向にわたってトラス梁２のたわみを低減できるため、各トラス梁２の梁せい（トラスせい）を小さく抑えたり、トラス断面を小さくしたりして、鉄骨数量を削減することができる。
【００３９】
また、Ｘトラス梁２ＸのＸ方向の両端部をＹトラス梁２Ｙで支持することで、Ｘトラス梁２ＸのＸ方向の両端部を直接支持する柱４１が不要となるため、将来等に建築物１００のＸ方向に増築（拡張）することができる。
【００４０】
また、Ｘトラス梁２ＸとＹトラス梁２Ｙとの交差部分では、Ｘトラス梁２ＸのＰＣ鋼材２４Ｘの端部２４ａは、Ｙトラス梁２ＹのＰＣ鋼材２４ＹとＸ方向に間隔を有して配置されているため、ＰＣ鋼材２４ＸとＰＣ鋼材２４Ｙとが干渉することがない。
【００４１】
また、Ｘトラス梁２Ｘの下弦材２２の端部２２ａの外側の空間Ｓ１にジャッキを設置して、Ｘトラス梁２ＸのＰＣ鋼材２４Ｘに張力を付与することができる。
【００４２】
また、トラス梁２と柱４１との交差部分では、トラス梁２のＰＣ鋼材２４の端部２４ｂは柱４１とトラス梁２の延在方向に間隔を有して配置されているため、トラス梁２のＰＣ鋼材２４が柱４１に干渉することがない。
【００４３】
また、トラス梁２の下弦材２２の端部２２ａの外側の空間Ｓ２にジャッキを設置して、トラス梁２のＰＣ鋼材２４に張力を付与することができる。
【００４４】
また、Ｘトラス梁２Ｘに沿って垂れ壁６２が設けられ、垂れ壁６２には窓６３が設けられているため、窓６３から採光を確保したり、換気したりすることができる。
【００４５】
（変形例）
次に、上記に示す実施形態の変形例について、主に図６を用いて説明する。
以下の変形例において、前述した実施形態で用いた部材と同一の部材には同一の符号を付して、その説明を省略する。
図６に示すように、本変形例では、構造体１０Ａは、Ｘトラス梁（第一トラス梁）２Ｘと、鉄骨組材３と、を備えている。
【００４６】
Ｘトラス梁２Ｘは、Ｘ方向（第一方向）に延在している。Ｘトラス梁２Ｘは、Ｙ方向の中央側に、Ｙ方向に離間して二列に配置されている。
【００４７】
各列で、Ｘトラス梁２Ｘは、構造体１０ＡのＸ方向の略全長にわたって延在している。Ｘトラス梁２Ｘどうしは、連結材１６により連結されている。
【００４８】
Ｘトラス梁２ＸのＸ方向の両端部には、柱４１が設けられている。本実施形態では、柱４１はＣＦＴ造とされている。
【００４９】
このように構成された建築物では、上弦材２１、下弦材２２、斜材２３及びＰＣ鋼材２４により組み立てられたＸトラス梁２Ｘは、二列配置されている。柱４１をＸトラス梁２ＸのＸ方向の両端部に設ければよく、多くの柱を必要としないため、無柱の大空間を構築することができる。
【００５０】
また、建設中にＸトラス梁２Ｘを支持する仮設柱をＸトラス梁２Ｘの二列分設置すればよいため、仮設柱の組み立て、解体にかかる時間が短縮され、工期を短縮することができる。
【００５１】
なお、上述した実施の形態において示した各構成部材の諸形状や組み合わせ等は一例であって、本発明の主旨から逸脱しない範囲において設計要求等に基づき種々変更可能である。
【符号の説明】
【００５２】
２Ｘ…Ｘトラス梁（第一トラス梁）
２Ｙ…Ｙトラス梁（第二トラス梁）
３…鉄骨組材
１０…構造体
１１…屋根材
２１…上弦材
２２…下弦材
２３…斜材
２４…ＰＣ鋼材
４１…柱
６２…垂れ壁
６３…窓
１００…建築物
【図１】
2020147922.tif 000003
【図２】
2020147922.tif 000004
【図３】
2020147922.tif 000005
【図４】
2020147922.tif 000006
【図５】
2020147922.tif 000007
【図６】
2020147922.tif 000008